(57)【要約】【課題】脚部用マッサージ手段の種類を変えることができ、また、マッサージ機として使用しないときに、通常の椅子としても違和感なく使うことのできる椅子型マッサージ機を提供する。【解決手段】被施療者の腰掛ける座部12の前端に、被施療者のふくらはぎを載置する脚部20を具え、該脚部20に脚部用マッサージ手段30を配備した椅子型マッサージ機において、脚部20は、座部12に対して縦方向に回転可能に支持され、脚部20の表裏両面に被施療者のふくらはぎを載置可能であり、脚部用マッサージ手段30は、脚部20の表裏何れか一方の面又は両面に配備した。【選択図】図３
2008245907.tif 000002
【特許請求の範囲】
【請求項１】
被施療者の腰掛ける座部の前端に、被施療者のふくらはぎを載置する脚部を具え、該脚部に脚部用マッサージ手段を配備した椅子型マッサージ機において、
脚部は、座部に対して縦方向に回転可能に支持され、脚部の表裏両面に被施療者のふくらはぎを載置可能であり、
脚部用マッサージ手段は、脚部の表裏何れか一方の面又は両面に配備されることを特徴とする椅子型マッサージ機。
【請求項２】
脚部は、座部の前端左右に軸支された支持フレームに支持されている請求項１に記載の椅子型マッサージ機。
【請求項３】
支持フレームの先端には、被施療者の足先を載置する足先部が軸支されており、足先部は、縦方向に回転可能に支持され、少なくとも１面に、被施療者の足先をマッサージする足先用マッサージ手段が配備されている請求項２に記載の椅子型マッサージ機。
【請求項４】
脚部用マッサージ手段は、施療エアバッグであり、脚部の内部に収容され、脚部の表裏両面に設けられた開口から膨出可能となっている請求項１乃至請求項３の何れかに記載の椅子型マッサージ機。
【請求項５】
施療エアバッグには、一方の面に指圧子が配備されている請求項４に記載の椅子型マッサージ機。
【請求項６】
被施療者の腰掛ける座部の前端に、被施療者のふくらはぎを載置する脚部を具え、該脚部に脚部用マッサージ手段を配備した椅子型マッサージ機において、
脚部には、座部に支持されたベース部と、該ベース部に対して観音開き可能に支持された左右一対の扉部材を具え、該扉部材の内面側に、脚部用マッサージ手段を配備したことを特徴とする椅子型マッサージ機。
【請求項７】
ベース部に、脚部用マッサージ手段をさらに配備した請求項６に記載の椅子型マッサージ機。
【請求項８】
扉部材の外面側に、脚部用マッサージ手段をさらに配備した請求項６又は請求項７に記載の椅子型マッサージ機。
【発明の詳細な説明】
【技術分野】
【０００１】
本発明は、被施療者の脚部をマッサージする脚部用マッサージ手段を具えた椅子型マッサージ機に関するものであり、より具体的には、脚部用マッサージ手段の種類を変えることができ、また、マッサージ機として使用しないときに、通常の椅子としても違和感なく使うことのできる椅子型マッサージ機に関するものである。
【背景技術】
【０００２】
被施療者の腰掛ける椅子の座部の前端に被施療者のふくらはぎや足先(足裏)をマッサージする脚部用マッサージ手段を具えた椅子型マッサージ機が知られている(例えば、特許文献１参照)。
【０００３】
【特許文献１】特開２００３−３１０６８２号公報
【発明の開示】
【発明が解決しようとする課題】
【０００４】
上記椅子型マッサージ機は、プログラム制御により、脚部用マッサージ手段のマッサージパターンやマッサージ強さを変えることはできるが、脚部用マッサージ手段自体は同じであり、脚部用マッサージ手段の種類を変えること(例えば、指圧子有りの場合と、指圧子なしの場合)はできず、マッサージパターン等は、予め配備された１種の脚部用マッサージ手段に依存してしまう。
【０００５】
また、脚部用マッサージ手段が邪魔になって、椅子型マッサージ機を通常の椅子として使用する場合には違和感を感じることがある。
【０００６】
本発明の目的は、脚部用マッサージ手段の種類を変えることができ、また、マッサージ機として使用しないときに、通常の椅子としても違和感なく使うことのできる椅子型マッサージ機を提供することである。
【課題を解決するための手段】
【０００７】
上記課題を解決するために本発明の椅子型マッサージ機は、
被施療者の腰掛ける座部の前端に、被施療者のふくらはぎを載置する脚部を具え、該脚部に脚部用マッサージ手段を配備した椅子型マッサージ機において、
脚部は、座部に対して縦方向に回転可能に支持され、脚部の表裏両面に被施療者のふくらはぎを載置可能であり、
脚部用マッサージ手段は、脚部の表裏何れか一方の面又は両面に配備した。
【０００８】
脚部を回転させることで、被施療者のふくらはぎを脚部の表裏何れかの面に載置する。
このとき、脚部の一方の面のみに脚部用マッサージ手段を配備し、他方の面には、脚部用マッサージ手段を配備せずに、被施療者のふくらはぎを載せるフラット、曲面又はふくらはぎに沿った形状のクッション材等を配備しておくことで、被施療者がマッサージを受けたい場合には、脚部を脚部用マッサージ手段側に回転させ、通常の椅子として使用したい場合には、裏面側に脚部を回転させればよい。
【０００９】
また、脚部の両方の面に種類の異なる脚部用マッサージ手段を配備し、被施療者の所望に応じて、脚部を回転させて、異なる種類の脚部用マッサージ手段により被施療者のふくらはぎにマッサージを施すこともできる。これにより、マッサージバリエーションを多様化することができ、被施療者は、要望に応じた効果の高いマッサージを受けることができる。
さらに、脚部用マッサージ手段を施療エアバッグとして、脚部の内部に収容し、脚部の表裏両面に設けられた開口から膨出可能にすれば、脚部の両方の面において、共通の施療エアバッグでマッサージすることができる。このとき、施療エアバッグの一方の面に指圧子を設けることで、異なる種類のマッサージを一つの施療エアバッグで施すこともできる。
【００１０】
本発明の椅子型マッサージ機は、
被施療者の腰掛ける座部の前端に、被施療者のふくらはぎを載置する脚部を具え、該脚部に脚部用マッサージ手段を配備した椅子型マッサージ機において、
脚部には、座部に支持されたベース部と、該ベース部に対して観音開き可能に支持された左右一対の扉部材を具え、該扉部材の内面側に、脚部用マッサージ手段を配備した。
【００１１】
脚部は、観音開き可能な扉部材を配備したことで、扉部材を閉じた状態と開いた状態で被施療者のふくらはぎを載置することができる。
扉部材の内面側にのみ脚部用マッサージ手段を配備し、扉部材の外面側には、脚部用マッサージ手段を配備せずに、被施療者のふくらはぎを載せるフラット又はふくらはぎに沿った形状のクッション材等を配備しておくことで、被施療者がマッサージを受けたい場合には、扉部材を開いた状態でふくらはぎをベース部に載置し、扉部材の内面に配備された脚部用マッサージ手段によりふくらはぎの側方及び／又は脛側にマッサージを受けることができる。
扉部材を閉じることで、通常の椅子として使用することができる。
【００１２】
なお、ベース部にさらに脚部用マッサージ手段を配備することで、被施療者のふくらはぎをより効果的にマッサージすることができる。
【００１３】
また、扉部材の外面側に、内面側又はベース部側とは異なる種類の脚部用マッサージ手段を配備することで、マッサージバリエーションを多様化することができ、これにより、被施療者は要望に応じた効果の高いマッサージを受けることができる。
【発明を実施するための最良の形態】
【００１４】
＜第１実施例＞
本実施例は、脚部(20)を縦方向に回転可能に支持した椅子型マッサージ機(10)について説明する。なお、以下の各実施例及び図面で同じ符号は特に明示しない限り同じ部材を意味し、適宜説明を省略する。
【００１５】
図１及び図２は、本発明の椅子型マッサージ機(10)の正面図である。
椅子型マッサージ機(10)は、台座フレーム(11)の上部に形成され、被施療者の腰掛ける座部(12)と、該座部(12)の後端に揺動可能に支持された背凭れ部(15)、座部(12)の両側に形成された肘掛け部(14)(14)、座部(12)の前端に揺動可能に支持された脚部(20)とを具える。
以下では、脚部(20)について詳細に説明するが、座部(12)、背凭れ部(15)、肘掛け部(14)(14)にも公知のマッサージ手段を適宜配置し、被施療者の臀部、太もも、腰、背中、肩、腕等をマッサージする構成とすることができる。
【００１６】
脚部(20)は、図１乃至図４に示すように、外周ケーシング(21)に、被施療者のふくらはぎと足先を挿入する左右一対の凹部(22)の形成された面(以下「表面(23)」という)と、ふくらはぎのみを載置可能な面(以下「裏面(24)」という)を有する。なお、外周ケーシング(21)は、実際には布製カバー等で包囲されるが、図ではカバー等は示していない。
脚部(20)の外周ケーシング(21)は、座部(12)の前端左右に配備されたブラケット(13)(13)(図３及び図４参照)に軸支された支持フレーム(19)(19)に支持されており、縦方向に少なくとも半周以上回転可能となっている。支持フレーム(19)は、座部(12)に対して前後方向に揺動可能且つ位置決め可能となっている。なお、支持フレーム(19)と外周ケーシング(21)との間には、脚部(20)の回転角度を規制し、位置決めを行なう回止め手段(図示せず)が配備されている。
【００１７】
外周ケーシング(21)には、表面(23)と裏面(24)の間に、脚部用マッサージ手段(30)を配備する空間が形成されている。脚部用マッサージ手段(30)として、指圧子(32)(32)を具備したエアバッグ(34)を例示することができる。指圧子(32)(32)は、表面(23)の底面(凹部(22)の底面)に形成された開口(25)から出没可能となっている。エアバッグ(34)は、マッサージ機(10)の適所に配置されたエアポンプ(図示せず)に電磁弁を介して接続され、膨張、収縮可能となっている。なお、以下で例示するエアバッグについても同様である。
【００１８】
凹部(22)について、被施療者の足裏が当接する足裏面(27)の下部には、足裏をマッサージする足先用マッサージ手段(40)が配備されている。足先用マッサージ手段(40)として指圧子(42)(42)を具備したエアバッグ(44)を例示することができる。指圧子(42)(42)は、足裏面(27)に形成された開口(28)から出没可能となっている。
【００１９】
凹部(22)(22)の側面には、夫々被施療者のふくらはぎ側面、足先側面をマッサージしたり、脚部用マッサージ手段(30)、足先用マッサージ手段(40)によるマッサージの際に、ふくらはぎや足先が浮き上がらないように保持する側面エアバッグ(36)(46)が配備されている。
【００２０】
裏面(24)は、図３及び図４に示すように、被施療者のふくらはぎを載置する曲面形状とすることができる。勿論、裏面(24)の形状は、フラットにしてもよいし、ふくらはぎの安定をよくするために、ふくらはぎの形状に沿った凹部を形成することもできる。
【００２１】
上記構成の椅子型マッサージ機(10)において、被施療者が座部(12)に腰掛け、脚部(20)によるマッサージを受ける場合には、図１及び図３に示すように、脚部(20)の表面(23)が前方を向くように、脚部(20)を回転させる。この状態で、被施療者は、凹部(22)に足Ｌのふくらはぎと足先を挿入し、脚部用マッサージ手段(30)、足先用マッサージ手段(40)、側面エアバッグ(36)(46)を所望に応じて作動させる。
【００２２】
脚部用マッサージ手段(30)、足先用マッサージ手段(40)を作動させると、図示の実施例では、エアバッグ(34)(44)が膨張して、被施療者のふくらはぎ、足裏に指圧子(32)(42)による指圧マッサージが施される。また、側面エアバッグ(36)や(46)を膨張させると、被施療者のふくらはぎの側面、足先側面に夫々押圧マッサージが施される。側面エアバッグ(34)や(46)を膨張させ、被施療者のふくらはぎ及び足先が凹部(22)から浮き上がらないように保持し、この状態で、脚部用マッサージ手段(30)及び足先用マッサージ手段(40)によるマッサージを施すと、効果の高いマッサージを受けることができる。
【００２３】
椅子型マッサージ機(10)を通常の椅子として使用する場合には、図２及び図４に示すように、脚部(20)の裏面(24)が前方を向くように、脚部(20)を縦方向に回転させる。裏面(24)には、指圧子等の凹凸がないため、通常の椅子として使用したときに、違和感を感じることはない。
【００２４】
図５乃至図８は、脚部(20)の異なる実施例であり、脚部(20)は、上記と同様に、支持フレーム(19)を介して座部(12)に縦方向回転可能に支持されている。
これら実施例は、裏面(24)側でもマッサージを行なうことができるようにしたものである。なお、構成を簡略化するために、脚部用マッサージ手段(30)及び足先用マッサージ手段(40)は、夫々１つのエアバッグ(34)(44)を表面(23)側と裏面(24)側で共通して使用している。また、凹部(22)の側面エアバッグは図示していないが、側面エアバッグ(36)(46)を配備してもよい。
【００２５】
図５及び図６の実施例は、裏面(24)側にも開口(26)(29)を設け、指圧子(33)(43)が出没可能となっている。開口(26)(29)及び指圧子(33)(43)の位置を調整することで、図６に示すように、脚部(20)の裏面(24)が前方を向いているときには、足先用マッサージ手段(40)の指圧子(43)は、膝裏近傍をマッサージし、脚部用マッサージ手段(30)の指圧子(33)は、足首近傍をマッサージすることができる。従って、脚部(20)を表裏回転させることで、異なる位置にマッサージを施すことができる利点がある。
【００２６】
図７及び図８の実施例は、図３及び図４に示す脚部(20)について、裏面(24)側に、脚部用マッサージ手段(30)が出没する開口(26)を設けたものである。開口(26)は、上記図５及び図６の実施例に比して大きく形成し、布製カバー(31)で覆っている。脚部用マッサージ手段(30)であるエアバッグ(34)には、開口(26)側に指圧子を具備しておらず、直接エアバッグ(34)が布製カバー(31)を介して開口(26)から膨出可能となっている。
本実施例によれば、脚部(20)の裏面(24)が前方を向いているときには、エアバッグ(34)によりふくらはぎへの押圧マッサージを施すことができ、表面(23)が前方を向いている場合の指圧マッサージとは異なる種類のマッサージを施すことができる。
【００２７】
上記何れの実施例も、脚部用マッサージ手段(30)、足先用マッサージ手段(40)は、エアバッグに限定されるものではなく、また、図５乃至図８に示す実施例において、表面(23)と裏面(24)に夫々別個のマッサージ手段を配備することも可能である。
【００２８】
＜第２実施例＞
図９乃至図１２は、ふくらはぎをマッサージする脚部(20)と、足裏をマッサージする足先部(50)を夫々別体に構成し、夫々、縦方向に回転可能となるように支持した椅子型マッサージ機(10)の実施例である。
【００２９】
脚部(20)及び足先部(50)は、夫々、座部(12)の前端左右に配備されたブラケット(13)(13)(図１１及び図１２参照)に軸支された支持フレーム(19)(19)に支持されており、脚部(20)は、縦方向に少なくとも半周以上回転可能、足先部(50)は、縦方向に少なくとも９０度以上回転可能となっている。支持フレーム(19)は、座部(12)に対して前後方向に揺動可能且つ位置決め可能となっている。なお、支持フレーム(19)と、脚部(20)及び足先部(50)との間には、夫々、脚部(20)及び足先部(50)の回転角度を規制し、位置決めを行なう回止め手段(図示せず)が配備されている。
【００３０】
脚部(20)には、図９及び図１１に示すように、表面(23)にふくらはぎを収容する左右一対の凹部(22)(22)が形成されており、各凹部(22)の底面には、エアバッグ(34)等の脚部用マッサージ手段(30)と、側面に側面エアバッグ(36)(36)が配備されている。
脚部(20)を縦方向に回転させると、図１０及び図１２に示すように、裏面(24)が前方を向く。裏面(24)は、図示の実施例では、フラットな形状となっている。
【００３１】
足先部(50)には、図９及び図１１に示すように、足裏が当たる表面(53)に左右一対の凹部(52)(52)が形成されており、各凹部(52)の底面には、エアバッグ(44)等の足先部用マッサージ手段(40)と、側面に側面エアバッグ(46)(46)が配備されている。足先部(50)は、表面(53)を用いてマッサージを行なう場合には、表面(53)が支持フレーム(19)に対して略直交する向きとなり、被施療者の足裏を表面(53)に当接させて使用する。
足先部(50)を図１１の矢印方向に９０度回転させると、図１０及び図１２に示すように、足先部(50)の裏面(54)が前方を向く。裏面(54)は、図示の実施例では、フラットな形状となっている。
【００３２】
上記椅子型マッサージ機(10)において、被施療者が座部(12)に腰掛け、脚部(20)によるマッサージを受ける場合には、図９及び図１１に示すように、脚部(20)の表面(23)が前方を向き、足先部(50)が上方を向くように、脚部(20)と足先部(50)を夫々回転させる。この状態で、被施療者は、脚部(20)の凹部(22)にふくらはぎ、足先部(50)の凹部(52)に足先を挿入し、脚部用マッサージ手段(30)、足先用マッサージ手段(40)、側面エアバッグ(36)(46)を所望に応じて作動させる。
【００３３】
脚部用マッサージ手段(30)、足先用マッサージ手段(40)を作動させると、図示の実施例では、エアバッグ(34)(44)が膨張して、被施療者の足Ｌのふくらはぎ、足裏に押圧マッサージが施される。また、側面エアバッグ(36)(46)を膨張させると、被施療者の足Ｌのふくらはぎ側面、足先側面に夫々押圧マッサージが施される。側面エアバッグ(36)(46)を膨張させ、被施療者のふくらはぎ及び足先が凹部(22)(52)から浮き上がらないように保持し、この状態で、脚部用マッサージ手段(30)及び足先用マッサージ手段(40)によるマッサージを施すと、効果の高いマッサージを受けることができる。
【００３４】
椅子型マッサージ機(10)を通常の椅子として使用する場合には、図１０及び図１２に示すように、脚部(20)の裏面(24)が前方を向くように、脚部(20)を縦方向に回転させ、足先部(50)を図１１の矢印方向に９０度回転させる。これにより、脚部(20)と足先部(50)の裏面(24)(54)が前方を向く。裏面(24)(54)には、マッサージ手段は配備しておらず、フラットな形状であるため、通常の椅子として使用したときに、違和感を感じることはない。
【００３５】
脚部(20)及び足先部(50)の表面(23)(53)に配備される脚部用マッサージ手段(30)、足先用マッサージ手段(40)は、エアバッグに限定されるものではなく、また、脚部(20)及び足先部(50)の裏面(24)(54)に異なるマッサージ手段を配備することもできる。例えば、図５〜図８のように、共通の施療エアバッグで表面(23)(53)、裏面(24)(54)に異なる種類のマッサージを施すこともできる。
【００３６】
＜第３実施例＞
本実施例は、脚部(20)に観音開き可能な扉部材(60)(60)を設け、該扉部材(60)(60)の内面側に脚部用マッサージ手段(30)(30)を配備したものである。なお、符号(17)は、椅子型マッサージ機(10)の操作部である。
【００３７】
図１３乃至図１６に示すように、脚部(20)は、座部(12)に対して前後に揺動可能且つ位置決め可能に支持されたベース部(61)と、該ベース部(61)の左右端に観音開き可能に支持された左右一対の扉部材(60)(60)を有する。ベース部(61)は、扉部材(60)(60)間に中央壁(62)を突設しており、扉部材(60)(60)は、中央壁(62)に対してラチェット機構やロック手段(何れも図示せず)等により、被施療者の操作以外での自由な開放が規制されている。また、扉部材(60)(60)の開放角度は、最大９０度となるように規制されている。
【００３８】
扉部材(60)(60)には、図１３乃至図１６に示すように、内部に脚部用マッサージ手段(30)としてエアバッグ(34)が収容されており、扉部材(60)(60)の内面(63)及び外面(64)には、エアバッグ(34)が膨出可能な開口(65)(66)が貫通開設されている。開口(65)(66)は、図示しない布製カバーで覆われている。
【００３９】
図１３及び図１５は、扉部材(60)(60)を閉止した状態を示している。この状態で、被施療者がふくらはぎを脚部(20)に載せて、脚部用マッサージ手段(30)であるエアバッグ(34)を膨張させると、扉部材(60)(60)の外面(64)の開口(66)からエアバッグ(34)が膨出し、ふくらはぎに押圧マッサージを受けることができる。なお、このとき、扉部材(60)(60)の内面(63)の開口(65)はベース部(61)に当たっているため、エアバッグ(34)は、外面(64)側にのみ膨出する。
【００４０】
また、図１４及び図１６に示すように、扉部材(60)(60)を開き、扉部材(60)(60)間にふくらはぎを挿入して、脚部用マッサージ手段(30)であるエアバッグ(34)を膨張させると、扉部材(60)(60)の内面(63)の開口(65)からエアバッグ(34)が膨出し、上記とは異なる位置、即ち、ふくらはぎの側面に押圧マッサージを受けることができる。なお、このとき、扉部材(60)の外面(64)の開口(66)からもエアバッグ(34)は膨出するが、エアバッグ(34)を図１５及び図１６に示すように、扉部材(60)の内面(63)側に大きく膨張する形状としたり、開口(65)(66)を覆う布製カバーの伸縮性を異ならせ、内面(63)の開口(65)を覆う布製カバーの伸縮性を、外面(64)の開口(66)を覆う布製カバーの伸縮性よりも大きくすることで、内面(63)側でも十分な押圧マッサージを施すことができる。
【００４１】
上記実施例では、扉部材(60)(60)の内面(63)と外面(64)の両方に開口(65)(66)を設けているが、内面(63)のみに開口(65)を設けることもできる。また、指圧子を取り付けることなどにより、扉部材(60)の内面(63)と外面(64)のマッサージ手段は、エアバッグに限定されず、さらに、内面(63)と外面(64)のマッサージ手段の種類を変えることも勿論可能である。
【００４２】
＜第４実施例＞
図１７乃至図１９は、第３実施例の異なる実施例である。
図に示すように、本実施例では、各扉部材(60)(60)を略中央で縦方向に分割し、回動可能とすることにより、被施療者のふくらはぎ側方から脛にかかる部分を押圧マッサージ可能としている。
【００４３】
扉部材(60)(60)は、夫々外側扉部材(70)と内側扉部材(71)から構成され、外側扉部材(70)は、上記第３実施例と同様にベース部(61)に観音開き可能に支持され、内側扉部材(71)は、扉部材(60)を閉止した状態(図１９Ａ)から、外側扉部材(70)を開放したときに、図１９Ｂに示すように、外側扉部材(70)に対して所定角度内向きに傾くように、リンク機構(図示せず)により外側扉部材(70)に支持されている。
【００４４】
内側扉部材(71)の内側には、図１９に示すように、脚部用マッサージ手段(30)として指圧子(32)を具えたエアバッグ(34)が配置されている。エアバッグ(34)は、図１９Ｃに示すように、扉部材(60)を開いた状態で膨張させることで、被施療者の足Ｌのふくらはぎ側方から脛にかかる部分を指圧マッサージすることができる。
【００４５】
脚部用マッサージ手段(30)を使用しない場合には、図１７及び図１９Ａに示すように、扉部材(60)を閉じると、通常の椅子として違和感なく使用することができる。
【００４６】
上記実施例において、外側扉部材(70)に、第３実施例と同様の脚部用マッサージ手段(30)を配備することもできる。
【産業上の利用可能性】
【００４７】
本発明は、脚部用マッサージ手段の種類を変えることができ、また、マッサージ機として使用しないときに、通常の椅子としても違和感なく使うことのできる椅子型マッサージ機として有用である。
【図面の簡単な説明】
【００４８】
【図１】本発明の第１実施例を示す椅子型マッサージ機の正面図であって、脚部の表面を前方に向けた状態を示している。
【図２】本発明の第１実施例を示す椅子型マッサージ機の正面図であって、脚部の裏面を前方に向けた状態を示している。
【図３】脚部の側面図であって、表面を前方に向けた状態を示している。
【図４】脚部の側面図であって、裏面を前方に向けた状態を示している。
【図５】脚部の異なる実施例の断面図であって、表面を前方に向けた状態を示している。
【図６】脚部の異なる実施例の断面図であって、裏面を前方に向けた状態を示している。
【図７】脚部のさらに異なる実施例の断面図であって、表面を前方に向けた状態を示している。
【図８】脚部のさらに異なる実施例の断面図であって、裏面を前方に向けた状態を示している。
【図９】本発明の第２実施例を示す椅子型マッサージ機の正面図であって、脚部の表面を前方、足先部の表面を上方に向けた状態を示している。
【図１０】本発明の第２実施例を示す椅子型マッサージ機の正面図であって、脚部及び足先部の裏面を前方に向けた状態を示している。
【図１１】脚部の側面図であって、脚部の表面を前方、足先部の表面を上方に向けた状態を示している。
【図１２】脚部の側面図であって、脚部及び足先部の裏面を前方に向けた状態を示している。
【図１３】本発明の第３実施例を示す椅子型マッサージ機の斜視図であって、扉部材を閉じた状態を示している。
【図１４】本発明の第３実施例を示す椅子型マッサージ機の斜視図であって、扉部材を開いた状態を示している。
【図１５】扉部材を閉じた状態を示す断面図であって、上側がエアバッグを収縮させた状態、下側エアバッグを膨張させた状態を示している。
【図１６】扉部材を開いた状態を示す断面図であって、上側がエアバッグを収縮させた状態、下側エアバッグを膨張させた状態を示している。
【図１７】本発明の第４実施例を示す椅子型マッサージ機の斜視図であって、扉部材を閉じた状態を示している。
【図１８】本発明の第４実施例を示す椅子型マッサージ機の斜視図であって、扉部材を開いた状態を示している。
【図１９】第４実施例の脚部の平面図であって、(Ａ)は扉部材を閉じた状態、(Ｂ)は扉部材を開いた状態、(Ｃ)はエアバッグを膨張させた状態を示している。
【符号の説明】
【００４９】
(10)  椅子型マッサージ機
(12)  座部
(20)  脚部
(22)  凹部
(23)  表面
(24)  裏面
(30)  脚部用マッサージ手段
(40)  足先用マッサージ手段
【図１】
2008245907.tif 000003
【図２】
2008245907.tif 000004
【図３】
2008245907.tif 000005
【図４】
2008245907.tif 000006
【図５】
2008245907.tif 000007
【図６】
2008245907.tif 000008
【図７】
2008245907.tif 000009
【図８】
2008245907.tif 000010
【図９】
2008245907.tif 000011
【図１０】
2008245907.tif 000012
【図１１】
2008245907.tif 000013
【図１２】
2008245907.tif 000014
【図１３】
2008245907.tif 000015
【図１４】
2008245907.tif 000016
【図１５】
2008245907.tif 000017
【図１６】
2008245907.tif 000018
【図１７】
2008245907.tif 000019
【図１８】
2008245907.tif 000020
【図１９】
2008245907.tif 000021